(57)【要約】      （修正有）【課題】プリント対象ファイルを添付したメールを携帯電話機から画像形成装置に送信してプリント処理を行う場合に、よりユーザの使い勝手の良い画像形成装置及びプログラムを提供する。【解決手段】プリント対象ファイルが添付されたメールが携帯電話機から送信された場合、識別子付与部２０６が識別子を付与し、メール送信部２０８が、当該識別子を記載したメールを送信元の携帯電話機に返信する。識別子が記載されたメールが、さらに携帯電話機から返信された場合に、プリント制御部２０９が、プリント対象ファイルのプリント処理を実行する。【選択図】図４
2007111920.tif 000002
【特許請求の範囲】
【請求項１】
電子メールを受信する受信手段と、
受信した電子メールに添付されたプリント対象ファイルを抽出する抽出手段と、
受信した電子メール又はプリント対象ファイルに識別子を付与する識別子付与手段と、
付与された識別子を記載した電子メールを送信元に返信する返信手段と、
前記受信手段が前記識別子を記載した電子メールを受信した場合に、前記プリント対象ファイルをプリントするプリント制御手段とを備える
ことを特徴とする画像形成装置。
【請求項２】
前記返信手段は、
電子メールが他の送信先に対しても送信されている場合に、当該他の送信先に対しても識別子を記載した電子メールを送信する
ことを特徴とする請求項１に記載の画像形成装置。
【請求項３】
前記識別子付与手段は、
電子メールが他の送信先に対しても送信されている場合に、送信先ごとに異なる識別子を付与し、
前記返信手段は、
前記他の送信先に対して、各々に付与された識別子を記載した電子メールを送信する
ことを特徴とする請求項２に記載の画像形成装置。
【請求項４】
前記プリント制御手段は、
前記受信手段が、前記返信手段が送信した送信先の全てから識別子を記載した電子メールを受信するまでは、前記プリント対象ファイルをプリントしない
ことを特徴とする請求項２又は３に記載の画像形成装置。
【請求項５】
前記画像形成装置は、さらに、
前記異なる識別子ごとに、前記受信手段が識別子を記載した電子メールを受信した場合に行う処理を示す情報を格納した管理テーブル手段を備える
ことを特徴とする請求項３に記載の画像形成装置。
【請求項６】
前記画像形成装置は、さらに、
前記受信手段が、所定の識別子を記載した電子メールを受信した場合に、当該識別子に対応したプリント対象ファイルを削除する削除手段を備える
ことを特徴とする請求項１から５のいずれかに記載の画像形成装置。
【請求項７】
携帯電話機から送信された電子メールを受信する受信手段と、
受信した電子メールに添付されたプリント対象ファイルを抽出する抽出手段と、
前記携帯電話機のメールアドレスと電話番号との対応関係を保持する携帯番号保持手段と、
携帯電話機からの着信を受け付ける着信受付手段と、
前記着信受付手段が、前記電子メールを送信した携帯電話機からの着信を受け付けた場合に、前記プリント対象ファイルをプリントするプリント制御手段とを備える
ことを特徴とする画像形成装置。
【請求項８】
前記画像形成装置は、さらに、
受信した電子メール又はプリント対象ファイルに識別子を付与する識別子付与手段と、
付与された識別子を記載した電子メールを送信元に返信する返信手段とを備え、
前記プリント制御手段は、
前記返信手段が送信元に電子メールを返信した後に、送信元の携帯電話機からの着信を受け付けた場合に、前記プリント対象ファイルをプリントする
ことを特徴とする請求項７に記載の画像形成装置。
【請求項９】
前記返信手段は、
電子メールが他の送信先に対しても送信されている場合に、当該他の送信先に対しても識別子を記載した電子メールを送信する
ことを特徴とする請求項８に記載の画像形成装置。
【請求項１０】
前記識別子付与手段は、
電子メールが他の送信先に対しても送信されている場合に、送信先ごとに異なる識別子を付与し、
前記返信手段は、
前記他の送信先に対して、各々に付与された識別子を記載した電子メールを送信する
ことを特徴とする請求項９に記載の画像形成装置。
【請求項１１】
前記プリント制御手段は、
前記着信受付手段が、前記返信手段が送信した送信先の全てから着信を受け付けるまでは、前記プリント対象ファイルをプリントしない
ことを特徴とする請求項９又は１０に記載の画像形成装置。
【請求項１２】
前記画像形成装置は、さらに、
前記異なる識別子ごとに、前記着信受付手段が着信を受け付けた場合に行う処理を示す情報を格納した管理テーブル手段を備える
ことを特徴とする請求項１０に記載の画像形成装置。
【請求項１３】
前記画像形成装置は、さらに、
前記着信受付手段が、所定の携帯番号の携帯電話機からの着信を受け付けた場合に、当該携帯番号に対応したプリント対象ファイルを削除する削除手段を備える
ことを特徴とする請求項１０又は１２に記載の画像形成装置。
【請求項１４】
前記画像形成装置には、複数のメールアドレスが付与されており、
いずれのメールアドレスを宛先として送信されたかにより、処理の内容を切り替える
ことを特徴とする請求項１から１３のいずれかに記載の画像形成装置。
【請求項１５】
画像形成装置の動作を制御するプロセッサ上で動作するプログラムであって、
受信した電子メールに添付されたプリント対象ファイルを抽出する抽出処理と、
受信した電子メール又はプリント対象ファイルに識別子を付与する識別子付与処理と、
付与された識別子を記載した電子メールを送信元に返信する返信処理と、
前記識別子を記載した電子メールを受信した場合に、当該識別子に対応するプリント対象ファイルをプリントするプリント制御処理とをプロセッサに実行させる
ことを特徴とするプログラム。
【請求項１６】
画像形成装置の動作を制御するプロセッサ上で動作するプログラムであって、
携帯電話機から受信した電子メールに添付されたプリント対象ファイルを抽出する抽出処理と、
前記携帯電話機から着信があった場合に、前記プリント対象ファイルをプリントするプリント制御処理とをプロセッサに実行させる
ことを特徴とするプログラム。
【発明の詳細な説明】
【技術分野】
【０００１】
本発明は、画像形成装置及びプログラムに関し、特に携帯電話機等から送信された電子メールに添付されたファイルをプリントする技術に関する。
【背景技術】
【０００２】
近年、カメラ付きの携帯電話機が広く普及し、携帯電話機で撮影した画像ファイルを電子メールに添付して送信することが極めて一般的に行われるようになっている。また最近では、撮影により得られた画像ファイルだけでなく、ワードプロセッサや表計算などのアプリケーションソフトウェアで作成、編集されたファイルを変換した上で電子メール（以下、単に「メール」ともいう。）に添付し、携帯電話機に転送することも可能となっている（非特許文献１参照）。
【０００３】
一方、ネットワークを介してメールを受信する機能を備える画像形成装置も広く普及しており、携帯電話機のユーザは、画像形成装置に付与されたメールアドレスに対して、上記の画像ファイルや、アプリケーションにより作成等されたファイルを添付したメールを送信することも可能である。以下、画像ファイルやアプリケーションにより生成等されたファイル（携帯用に変換したファイルも含む。）など、画像形成装置でのプリントの対象となるファイルを総称してプリント対象ファイルという。
【０００４】
従来の画像形成装置においては、例えばインターネットＦＡＸ機能を利用する場合のように添付ファイルが自動的にプリントされたり、画像形成装置側での操作により、添付ファイルをプリントするのが一般的であった。
【０００５】
【非特許文献１】津田  啓夢、“シャープ、ＷｏｒｄやＰｏｗｅｒＰｏｉｎｔデータを携帯用に変換するシステム”、[online]、２００３年１２月１０日、ケータイWatch、[平成１７年７月４日検索]、インターネット <URL：http://k-tai.impress.co.jp/cda/article/news_toppage/16784.html>
【発明の開示】
【発明が解決しようとする課題】
【０００６】
最近、画像形成装置がスーパーマーケット、コンビニエンス・ストアなどに設置されることが多く、旅先などで気軽に利用できるプリンタとしての用途も考えられているところである。スーパーマーケット等に限らず、例えば、設置された画像形成装置に付与されたメールアドレスに携帯電話機からメールを送信し、メールに添付されたプリント対象ファイルのプリント処理を行うことができると便利である。しかしながら、プリント対象ファイルが機密性を有する内容を含む場合など、受信したプリント対象ファイルが自動的にプリントされるのは不都合な場合もあり、従来の画像形成装置では、まだユーザの要求に応えられているとは言えない。
【０００７】
本発明は係る問題点に鑑みてなされたものであって、プリント対象ファイルを添付したメールを携帯電話機から画像形成装置に送信してプリント処理を行う場合に、よりユーザの使い勝手の良い画像形成装置及びプログラムを提供することを目的としている。
【課題を解決するための手段】
【０００８】
上記の問題点を解決するために、本発明に係る画像形成装置は、電子メールを受信する受信手段と、受信した電子メールに添付されたプリント対象ファイルを抽出する抽出手段と、受信した電子メール又はプリント対象ファイルに識別子を付与する識別子付与手段と、付与された識別子を記載した電子メールを送信元に返信する返信手段と、前記受信手段が前記識別子を記載した電子メールを受信した場合に、前記プリント対象ファイルをプリントするプリント制御手段とを備えることを特徴としている。
【０００９】
本発明の構成では、プリント対象ファイルを添付したメールを受信した画像形成装置は、メール若しくはプリント対象ファイルに識別子を付与し、当該識別子を記載したメールを送信元に対して返信する。その後、当該識別子を記載したメールを受信した場合にプリント処理を行うように制御するため、プリント対象ファイルを送信した携帯電話機のユーザがプリント処理のタイミングを管理することが可能となる。携帯電話機のユーザから見ると、メールの返信は極めて簡単な操作で済むという利点もあり、ユーザの使い勝手を向上することが可能となる。
【００１０】
前記返信手段は、電子メールが他の送信先に対しても送信されている場合に、当該他の送信先に対しても識別子を記載した電子メールを送信する構成とすることができる。この場合には、例えば、前記他の送信先のいずれから識別子を記載した電子メールを受信した場合でも、等しくプリント対象ファイルをプリントすることができる。
【００１１】
前記識別子付与手段は、電子メールが他の送信先に対しても送信されている場合に、送信先ごとに異なる識別子を付与し、前記返信手段は、前記他の送信先に対して、各々に付与された識別子を記載した電子メールを送信する構成とすることができる。
【００１２】
前記プリント制御手段は、前記受信手段が、前記返信手段が送信した送信先の全てから識別子を記載した電子メールを受信するまでは、前記プリント対象ファイルをプリントしないようにすることができる。同報先も含めて全てのユーザから識別子を記載したメールが返送されるまではプリントしない構成である。
【００１３】
前記画像形成装置は、さらに、前記異なる識別子ごとに、前記受信手段が識別子を記載した電子メールを受信した場合に行う処理を示す情報を格納した管理テーブル手段を備えることができる。格納される情報として、下記削除手段を備える場合の削除権限、プリント処理条件、その他、任意の情報を格納することができる。
【００１４】
前記画像形成装置は、さらに、前記受信手段が、所定の識別子を記載した電子メールを受信した場合に、当該識別子に対応したプリント対象ファイルを削除する削除手段を備える構成とすることができる。
【００１５】
本発明の第２の画像形成装置は、携帯電話機から送信された電子メールを受信する受信手段と、受信した電子メールに添付されたプリント対象ファイルを抽出する抽出手段と、前記携帯電話機のメールアドレスと電話番号との対応関係を保持する携帯番号保持手段と、携帯電話機からの着信を受け付ける着信受付手段と、前記着信受付手段が、前記電子メールを送信した携帯電話機からの着信を受け付けた場合に、前記プリント対象ファイルをプリントするプリント制御手段とを備えることを特徴としている。
【００１６】
前記画像形成装置は、さらに、受信した電子メール又はプリント対象ファイルに識別子を付与する識別子付与手段と、付与された識別子を記載した電子メールを送信元に返信する返信手段とを備え、前記プリント制御手段は、前記返信手段が送信元に電子メールを返信した後に、送信元の携帯電話機からの着信を受け付けた場合に、前記プリント対象ファイルをプリントする構成とすることができる。
【００１７】
前記返信手段は、電子メールが他の送信先に対しても送信されている場合に、当該他の送信先に対しても識別子を記載した電子メールを送信する構成とすることができる。
前記識別子付与手段は、電子メールが他の送信先に対しても送信されている場合に、送信先ごとに異なる識別子を付与し、前記返信手段は、前記他の送信先に対して、各々に付与された識別子を記載した電子メールを送信する構成とすることもできる。
【００１８】
前記プリント制御手段は、前記着信受付手段が、前記返信手段が送信した送信先の全てから着信を受け付けるまでは、前記プリント対象ファイルをプリントしない構成とすることもできる。
【００１９】
前記画像形成装置は、さらに、前記異なる識別子ごとに、前記着信受付手段が着信を受け付けた場合に行う処理を示す情報を格納した管理テーブル手段を備えることもできる。また、前記画像形成装置は、さらに、前記着信受付手段が、所定の携帯番号の携帯電話機からの着信を受け付けた場合に、当該携帯番号に対応したプリント対象ファイルを削除する削除手段を備えることもできる。
【００２０】
前記画像形成装置には、複数のメールアドレスが付与されており、いずれのメールアドレスを宛先として送信されたかにより、処理の内容を切り替えることもできる。処理の内容としては、例えばプリント処理の内容や、同報先がある場合の処理の内容の切り替えが考えられる。
【００２１】
本発明の第１のプログラムは、画像形成装置の動作を制御するプロセッサ上で動作するプログラムであって、受信した電子メールに添付されたプリント対象ファイルを抽出する抽出処理と、受信した電子メール又はプリント対象ファイルに識別子を付与する識別子付与処理と、付与された識別子を記載した電子メールを送信元に返信する返信処理と、前記識別子を記載した電子メールを受信した場合に、当該識別子に対応するプリント対象ファイルをプリントするプリント制御処理とをプロセッサに実行させることを特徴としている。
【００２２】
本発明の第２のプログラムは、画像形成装置の動作を制御するプロセッサ上で動作するプログラムであって、携帯電話機から受信した電子メールに添付されたプリント対象ファイルを抽出する抽出処理と、前記携帯電話機から着信があった場合に、前記プリント対象ファイルをプリントするプリント制御処理とをプロセッサに実行させることを特徴としている。
【発明の効果】
【００２３】
本発明に係る画像形成装置等によると、メールの返信や携帯電話からの着信があった場合にプリント対象ファイルのプリント処理を実行するので、プリント対象ファイルを添付したメールを画像形成装置に送信してプリント処理を行う場合に、よりユーザの使い勝手を向上させることができるという効果を奏する。
【発明を実施するための最良の形態】
【００２４】
以下、本発明の実施の形態について、図面を参照しながら説明する。
（実施の形態１）
（１）画像プリントシステムの構成
図１は、本実施の形態における画像プリントシステムの全体構成の一例を示す図である。画像プリントシステムは、携帯電話機１００から送信されたメールに添付されたプリント対象ファイルを、インターネット４０に接続されたＭＦＰ１によりプリントするものである。
【００２５】
携帯電話機１００は、基地局４７（図中では基地局を一つのみ図示しているが、携帯電話機１００は、多数の基地局間でハンドオフ動作を繰り返しながら音声による通話、データ伝送等を行う。）、携帯電話ネットワーク（パケット交換網、ＩＰ網、インターネット網等）４６を介してメールを送受信することが可能な構成となっている。本実施の形態の携帯電話機１００は、例えば第３世代の携帯電話機であり、基地局４７と接続されたパケット交換網を経由してメールの送受信を行うものとする。携帯電話機１００は、例えばカメラ機能を備えており、ユーザにより入力されたメールアドレスに対して、カメラ機能で撮影された画像データのファイルをプリント対象ファイルとして添付したメールをＭＦＰ１に送信することができる。
【００２６】
携帯電話ネットワーク４６はゲートウェイ４５を介してインターネット４０と接続されており、携帯電話機１００からＭＦＰ１宛てに送信されたメールは、ゲートウェイ４５でインターネット４０に適したフォーマットに変換され、メールサーバ４１に蓄積される。なお、携帯電話機からのメールの送受信プロトコルは、回線業者により多少異なる点もあるが、本発明はいずれの方式にも適用することができる。本実施の携帯のＭＦＰ１は、定期的にメールサーバ４１の内容を探索しており、ＭＦＰ１宛てのメールが送信されていた場合には、メールサーバ４１から、ＰＯＰ３、ＩＭＡＰ４等のプロトコルに従って当該メールを取得することができる。
【００２７】
（２）ＭＦＰ１の構成
次に、ＭＦＰ１の構成について説明する。図２は、本実施の形態のＭＦＰ１の外観の一例を示す図である。ＭＦＰ１は、コピー、ネットワークプリンティング、スキャナ、ＦＡＸ、またはドキュメントサーバなどの機能を集約した画像形成装置である。複合機と呼ばれることもある。
【００２８】
図３は、本実施の形態のＭＦＰ１におけるハードウェア構成の一例を示す図である。ＭＦＰ１は、操作部１１、ディスプレイ部１２、スキャナ部１３、プリンタ部１４、通信インタフェース１６、ドキュメントフィーダ１７、給紙装置１８、トレイ１９（図２参照）、ＣＰＵ２０、ＲＡＭ２１、ＲＯＭ２２、およびデータ記憶部２３などによって構成される。
【００２９】
操作部１１は、数字、文字、および記号などを入力するための複数のキー、押下されたキーを認識するセンサ、および認識したキーを示す信号をＣＰＵ２０に送信する送信用回路などによって構成される。
【００３０】
ディスプレイ部１２は、ユーザに対してメッセージまたは指示を与えるための画面、ユーザが設定および処理内容を入力するための画面、およびＭＦＰ１で処理された結果を示す画面などを表示する。本実施の形態では、ディスプレイ部１２としてタッチパネルが用いられる。したがって、ディスプレイ部１２は、ユーザが指で触れたタッチパネル上の位置を検知し、検知結果を示す信号をＣＰＵ２０に送信する機能を備えている。
【００３１】
スキャナ部１３は、原稿に描かれている写真、文字、絵、図表などの画像を光電的に読み取って、デジタルの画像データ（ここでは、ＲＧＢまたはブラックの濃度を表す濃度データ）を生成する。ドキュメントフィーダ１７は、ＭＦＰ１の本体の上部に設けられており、１枚または複数枚の原稿をスキャナ部１３に順次送るために用いられる。
【００３２】
プリンタ部１４は、スキャナ部１３にて読み取られた画像、携帯電話機１００から送信されてきたメールに添付された画像データの画像などを、記録紙、フイルムなどの記録シートにプリントする。給紙装置１８は、ＭＦＰ１本体の下部に設けられており、プリント対象の画像に適した記録シートをプリンタ部１４に供給する。プリンタ部１４によって画像がプリントされた記録シートはトレイ１９に排出される。
【００３３】
通信インタフェース１６は、受信部１６１、送信部１６２等によって構成され、メールサーバ４２などの外部装置とデータのやり取りを行うための装置である。通信インタフェース１６として、例えばＮＩＣ（ネットワーク・インタフェース・カード）などが用いられる。
【００３４】
データ記憶部２３は、ハードディスク２３Ｈ、カードリーダライタ２３Ｒなどを有している。カードリーダライタ２３Ｒは、コンパクトフラッシュ（登録商標）、スマートメディア、ＳＤカードなどの各種メモリカード９１からデータを読み取り、またはメモリカード９１にデータを書き込むことができる。
【００３５】
（３）ＭＦＰ１の処理内容
以下、本実施の形態のＭＦＰ１の処理内容等について詳細に説明する。図４は、ＭＦＰ１の機能的構成の一例を示すブロック図である。同図に示される各ブロックの処理は、主としてＲＯＭ２２に格納されたプログラム、ハードディスク２３Ｈなどに格納され、ＲＡＭ２１にロードされたプログラムがＣＰＵ２０上で動作することにより実現される。なお、ＲＡＭ２１、ＲＯＭ２２としてフラッシュメモリなどの書き換え可能な不揮発性メモリを用いてもよい。また、処理の一部をＤＳＰ（デジタル・シグナル・プロセッサ）などの専用のハードウェアで実行するようにして、処理の高速化を図ることもできる。
【００３６】
ＭＦＰ１は、メール受信部２０１、タイマ２０２、メール受信指示入力部２０３、メール解析部２０４、プリント対象ファイル管理部２０５、識別子付与部２０６、返信メール編集部２０７、メール送信部２０８、プリント制御部２０９、受信メール格納部２２１、プリント対象ファイル格納部２２２を備えている。
【００３７】
メール受信部２０１は、ＣＰＵ２０に設けられたタイマ２０２により定期的なメールサーバ４１への問合せタイミングが検出された場合、若しくはメール受信指示入力部２０３としての操作部１１等を介するユーザからの指示入力があった場合に、メールサーバ４１にアクセスして自機宛のメールの探索を行う。メールサーバ４１に自機宛のメールが格納されていた場合、ＰＯＰ３、ＩＭＡＰ４等のプロトコルに従ってメールを取得し、例えばハードディスク２３Ｈに設けられた受信メール格納部２２１に格納する。
【００３８】
メール解析部２０４は、受信したメールを解析する。解析の結果、メールにプリント対象ファイルが添付されている場合には、プリント対象ファイル管理部２０５へとメールのデータを渡す。プリント対象ファイル管理部２０５は、プリント対象ファイルを抽出して、例えばハードディスク２３Ｈに設けられたプリント対象ファイル格納部２２２に格納する。なお、前記したように、携帯電話機からのメール送信プロトコルは回線業者により多少異なるが、プリント対象ファイルの抽出は容易である。
【００３９】
識別子付与部２０６は、プリント対象ファイルが添付されたメール、あるいはプリント対象ファイルに識別子を付与する。識別子の付与方法は任意である。返信メール編集部２０７は、プリント対象ファイルが添付されたメールの送信元の携帯電話機への返信メールを編集する。返信メールには、識別子付与部２０６によって付与された識別子が記載される。返信メール編集部２０７により編集された返信メールがメール送信部２０８により、プリント対象ファイルの送信元の携帯電話機へと送信される。
【００４０】
返信メールの送信に際しては、ＳＭＴＰ（シンプル・メール・トランスファ・プロトコル）に従い、一旦メールサーバ４１に格納された後、ゲートウェイ４５を介して携帯電話ネットワーク（パケット交換網）４６内のメールサーバ（不図示）に転送される。その後、携帯電話機１００に対してメール着信の通知がなされ、携帯電話機１００のユーザが返信メールを受信することができる。
【００４１】
図５は、ＭＦＰ１側のメール受信処理の内容を示すフローチャートである。メール受信処理では、メールサーバ４１への定期的な問合せタイミングとなるか（Ｓ１０１：ＹＥＳ）、メール受信指示入力部２０３等を介するユーザからの指示入力があった場合（Ｓ１０２：ＹＥＳ）、メールサーバ４１にアクセスして探索を行い（Ｓ１０３）、自機宛の受信メールがあった場合（Ｓ１０４：ＹＥＳ）、受信メールをメールサーバ４１からダウンロードとして、受信メール格納部２２１に格納する。そしてメール解析部２０４がメールの内容を解析する（Ｓ１０５）。本実施の形態では、まず受信したメールが携帯電話機から送信されたメールか否かを判定する（Ｓ１０６）。携帯電話機からのメールであるか否かは、例えば、メールヘッダの情報を参照して行うことも可能であるが、メール本文の記載に基づいて判定するようにしてもよい。メール本文や、題名を示すフィールド（Ｓｕｂｊｅｃｔフィールド）の記載に基づく場合、本発明を適用するメールであるか否かを直接的に記載するようにすれば、本発明を適用する意図のないメールについて以後の処理を省略することもできる。
【００４２】
メール解析部２０４は、さらにメールにファイルが添付されているか否かを解析する。受信したメールが携帯電話機からのメールであって（Ｓ１０６：ＹＥＳ）、メールに添付ファイルが有る場合（Ｓ１０７：ＹＥＳ）、識別子返信処理を行う（Ｓ１０８）。図６は、識別子返信処理の内容を示すフローチャートである。識別子返信処理では、プリント対象ファイル管理部２０５が、メールから添付ファイルを抽出する（Ｓ２０１）。抽出されたファイルはプリント対象ファイル格納部２２２に格納される。プリント対象ファイル管理部２０５は、ファイルが抽出された旨及びファイル名などを識別子付与部２０６に通知する。識別子付与部２０６は、抽出されたプリント対象ファイルに識別子を付与する（Ｓ２０２）。なお、もしメールに複数のファイルが添付されていた場合、ファイルごとに識別子を付与することもできるが（この場合にはファイルごとにプリント管理を行うことができる。）、メール単位で識別子を付与することもできる。
【００４３】
そして、返信メール編集部２０７が、付与された識別子を記載した返信メールを編集する（Ｓ２０３）。編集はＳＭＴＰその他のプロトコルに従って行うことができ、返信メールは返信メールのヘッダ及び本文を編集する。識別子はメール本文に記載してもよいが、ヘッダに記載することも可能である。編集された返信メールをメール送信部２０８が送信する（Ｓ２０４）。
【００４４】
図５のフローチャートへと戻って、ステップＳ１０７で添付ファイルが無い場合（Ｓ１０７：ＮＯ）、プリント制御処理を実行する（Ｓ１０９）。図７は、プリント制御処理の内容を示すフローチャートである。プリント制御処理では、メール解析部２０４の解析により、メール中に上記した識別子が記載されているか否かを判定する（Ｓ３０１）。ここで、誤動作を防止するためには、識別子に加えて本実施の形態のプリント制御を行う旨を示すデータを付加しておくことが好ましく、例えばメール本文や、メールの題名を記載するフィールド（Ｓｕｂｊｅｃｔフィールド）に、その旨のデータを付加することができる。また、識別子とファイルとの対応関係は、例えばハードディスク２３Ｈに格納しておくことができ、メール解析部２０４は、格納された情報を参照して識別子が記載されているか否かを判定する。メールに識別子が記載されていない場合（Ｓ３０１：ＮＯ）、プリント処理を行う必要がないため、そのままプリント制御処理を終了する。
【００４５】
メールに識別子が記載されている場合（Ｓ３０１：ＹＥＳ）、プリント制御部２０９がプリント対象ファイル格納部２２２からプリント対象ファイルを取り出し（Ｓ３０２）、プリント処理を行う（Ｓ３０３）。
以上のように、本実施の形態のプリント制御によると、携帯電話機の側で、メールの返信という簡単な操作を行うことにより、ファイルプリント処理の実行を制御することができるため、ユーザの使い勝手が向上する。なお、本実施の形態の手法により携帯電話機から送信されたプリント対象ファイルについては、その旨を、例えばファイルのプロパティとして保持しておき、ＭＦＰ１側での操作でプリントすることを禁止するようにすれば、ファイルの内容が機密性を有する場合に特に好適である。
【００４６】
（実施の形態２）
次に、本発明の第２の実施の形態について説明する。本実施の形態では、携帯電話機１００から送信されたメールに複数の宛先が指定されている場合について説明する。もっとも、ほとんどは第１の実施の形態と同様であるので、ここでは、異なる点について説明する。
【００４７】
まず、識別子付与部２０６が複数の宛先に対して同一の識別子を付与する場合について説明する。この場合には、携帯電話機に対して返信メールを送信する際に、同一の識別子を記載したメールを前記複数の宛先を指定して送信すればよい。プリント制御処理（図７）においては、前記複数の宛先のどの宛先から識別子を記載されたメールが送信された場合でも、等しくプリント処理を実行する。
【００４８】
また、識別子付与部２０６は、複数の宛先に対して異なる識別子を付与することもできる。この場合には、携帯電話機に対して返信メールを送信する際に、異なる識別子をそれぞれ記載した複数の返信メールを編集し、前記複数の宛先の各々に個別に返信する。
【００４９】
プリント制御処理においては、例えば、前記複数の宛先の全てから識別子を記載したメールが送信された場合のみ、プリント処理を実行するように制御することが可能である。図８は、このような場合に、例えばハードディスク２３Ｈに格納される管理テーブルの内容の一例を示す図である。
【００５０】
同図の例では、ファイル名「ｐｈｏｔｏ００１．ｊｐｇ」を添付したメールが、アドレス「ｋ０１２３＠ｄａｋａｍｏ．ｎｅ．ｊｐ」の携帯電話機からＭＦＰ１に送信されたものとする。その際のメールの宛先として、ＭＦＰ１の他に「Ｎｈ２５６＠ｄａｋａｍｏ．ｎｅ．ｊｐ」、「ｘ９７ｆｅ＠ｄａｋａｍｏ．ｎｅ．ｊｐ」が指定されていたとすると、メールを送信した携帯電話以外に、他の宛先の携帯電話のアドレスに対してそれぞれ異なる識別子を付与する。
【００５１】
そして、各携帯電話機から識別子を記載したメールの送信があった場合に返信フラグをオン（図中「○」で表示）にセットする。全ての携帯電話機から返信があった場合に初めてファイル名「ｐｈｏｔｏ００１．ｊｐｇ」がＭＦＰ１でプリント処理可能な状態とする。実際にプリント処理するのは、最後の返信フラグがオンに設定されたタイミングでもよいが、例えばプリント処理可能となった旨を各々の携帯電話機にメールで通知し、当該通知メールに対する返信があった場合にプリント処理するような形態も可能である。
【００５２】
（実施の形態３）
次に本発明の第３の実施の形態について説明する。本実施の形態では、第２の実施の形態と同様に複数の宛先が指定されている場合において、携帯電話機ごとに異なる処理権限を設定する。
【００５３】
図９は、本実施の形態における管理テーブルの内容の一例を示す図である。同図に示されるように、本実施の形態では各々の携帯電話機に対応して複数の識別子を付与するとともに、それぞれに設定された権限を保持する。同図の例では、アドレス「ｋ０１２３＠ｄａｋａｍｏ．ｎｅ．ｊｐ」の携帯電話機から識別子が記載されたメールが返信された場合に、ファイル名「ｐｈｏｔｏ００１．ｊｐｇ」のプリント処理を実行するが、アドレス「Ｎｈ２５６＠ｄａｋａｍｏ．ｎｅ．ｊｐ」、「ｘ９７ｆｅ＠ｄａｋａｍｏ．ｎｅ．ｊｐ」から識別子を記載したメールが返信された場合には、プリント対象ファイル管理部２０５が、ファイル名「ｐｈｏｔｏ００１．ｊｐｇ」のファイルをプリント対象ファイル格納部２２２から削除する。
【００５４】
このように、異なる権限を設定する方法としては種々の方法が可能であり、例えば（１）図９の例のように、ファイルを添付したメールの送信元と、同報の宛先とで権限設定を変える方法、（２）同報の宛先を示すフィールドとして「Ｔｏ」の他にＣｃ（カーボンコピー）、Ｂｃｃ（ブラインドコピー）が指定されている場合にフィールドの指定ごとに権限設定を変える方法、（３）例えば管理者権限を有する所定のアドレスに対しては常にプリント、削除などの権限を設定する方法、等が考えられる。なお、同図の例では全てのアドレスに何らかの権限を設定しているが、権限を設定しない（返信メールがあっても何の処理もしない）アドレスを設けてもよい（例えば、ファイルを添付したメールの送信があった旨のみを通知したい場合）。
【００５５】
なお、同報の際に宛先を示すフィールドとしてＣｃ、Ｂｃｃを指定することが可能か否か、Ｃｃ等の指定がどのようになされるか（例えば単に複数の宛先を指定した場合、受信した相手先以外の宛先をＣｃとして表示する等）について、携帯電話の回線業者により異なる点があるため、複数の回線業者に対応するためには、例えば携帯電話機から返信されたメールの送信元メールアドレスから回線業者を判定し、以後の処理を切り替える構成とすることが好ましい。
【００５６】
（変形例）
以上、本発明の実施の形態について説明したが、本発明の内容が上記実施の形態において説明された具体例によって限定されないことは勿論であり、例えば、以下のような変形例も考えられる。
【００５７】
（１）第３の実施の形態のように、プリント対象ファイルの削除を可能とする場合、同報先の無い場合においても、メールの送信元、又はプリント対象ファイルに複数の識別子を付与し、プリント処理を実行させるための識別子と、削除処理を実行させるための識別子とを別識別子とすることもできる。
【００５８】
（２）上記実施の形態では、ＭＦＰ１に付与されたメールアドレスは１種類であったが、ＭＦＰ１に複数のメールアドレスを付与し、アドレスごとに処理条件を変えることができる。図１０は、このような場合に例えばハードディスク２３Ｈに格納される処理内容管理テーブルの例を示す図である。同図（ａ）の例では、ＭＦＰ１に付与された異なるメールアドレスごとに、プリント処理の条件を変えている。同図の例では、用紙サイズ、片面・両面の別、２ｉｎ１プリント機能の利用の有無、パンチ処理の有無を規定しているが、ＭＦＰ１に付与するメールアドレスの数は任意であり、他にもステープル処理の有無、カラー・モノクロの別など任意の条件設定が可能である。
【００５９】
図１０（ｂ）は、処理内容管理テーブルの他の例であり、上記第２、第３の実施の形態のように、複数の宛先に対してメールが送信されている場合の処理を規定している。即ち、ＭＦＰ１へのファイル添付メールの宛先アドレスが「ｍｆｐ０１＠ａｂｃ．ｎｅ．ｊｐ」であった場合には、識別子を記載したメールの送信先の全てから、識別子を記載したメールが返信された場合にプリント処理を行う（図８参照）。宛先アドレスが「ｍｆｐ０２＠ａｂｃ．ｎｅ．ｊｐ」であった場合には、ファイル添付メールの送信元から識別子を記載したメールが返信された場合にプリント処理を行い、他の同報先から識別子を記載したメールが返信された場合にはプリント対象ファイルの削除を行う（図９参照）。宛先アドレスが「ｍｆｐ０３＠ａｂｃ．ｎｅ．ｊｐ」であった場合には、どの同報先から識別子を記載したメールが返信された場合にも、等しくプリント処理を行う。なお、処理の規定方法が上記に限定されないことは勿論である。
【００６０】
（３）上記実施の形態では、携帯電話機からの返信メールを受信した場合にプリント処理を実行するようにしたが、ＭＦＰ１に電話回線を接続するとともに、例えば図１１に示すような携帯電話機のメールアドレスと電話番号との対応関係を格納するテーブルを保持しておき、携帯電話機から発信者番号通知の電話の着信があった場合にプリント処理を実行するようにすることも可能である。この場合、ＭＦＰ１側からの識別子を記載したメールの送信を待たずにプリント処理を実行させることも可能であり、より迅速なプリント処理が可能となる。もっとも識別子を記載したメールの送信後に着信があった場合にプリント処理を実行するようにしてもよい。
【００６１】
ファイル添付メールに同報先があった場合には、上記第２の実施の形態と同様の対応、例えば、全ての番号から着信があった場合にプリントする等の処理を行うことができる。また、例えば図９のようなテーブルを併用することで、携帯電話機の電話番号ごとに権限や処理（プリント、削除等）を設定することもできる。もっとも、識別子を記載したメールを受信した場合と比較すると、同一の携帯電話機に複数のプリント対象ファイルが対応している場合に、いずれのファイルかの識別が困難であるため、例えばプリント処理を実行した後は当該ファイルを削除するようにしてもよい。
【産業上の利用可能性】
【００６２】
本発明は、例えば、ＭＦＰ等の画像形成装置に適用することができる。
【図面の簡単な説明】
【００６３】
【図１】本発明の実施の形態における画像プリントシステムの全体構成の一例を示す図である。
【図２】ＭＦＰ１の外観の一例を示す図である。
【図３】ＭＦＰ１におけるハードウェア構成の一例を示す図である。
【図４】ＭＦＰ１の機能的構成の一例を示すブロック図である。
【図５】ＭＦＰ１側のメール受信処理の内容を示すフローチャートである。
【図６】識別子返信処理の内容を示すフローチャートである。
【図７】プリント制御処理の内容を示すフローチャートである。
【図８】第２の実施の形態における管理テーブルの内容の一例を示す図である。
【図９】第３の実施の形態における管理テーブルの内容の一例を示す図である。
【図１０】本発明の変形例における処理内容管理テーブルの例を示す図である。
【図１１】携帯電話機のメールアドレスと電話番号との対応関係を格納するテーブルの内容の一例を示す図である。
【符号の説明】
【００６４】
１                        ＭＦＰ
１１                      操作部
１２                      ディスプレイ部
１３                      スキャナ部
１４                      プリンタ部
１６                      通信インタフェース
１６１                    受信部
１６２                    送信部
１７                      ドキュメントフィーダ
１８                      給紙装置
１９                      トレイ
２０                      ＣＰＵ
２１                      ＲＡＭ
２２                      ＲＯＭ
２３                      データ記憶部
２３Ｈ                    ハードディスクドライブ
２３Ｒ                    カードリーダライタ
４０                      インターネット
４１                      メールサーバ
４５                      ゲートウェイ
４６                      携帯電話ネットワーク（パケット交換網）
４７                      基地局
９１                      メモリカード
２０１                    メール受信部
２０２                    タイマ
２０３                    メール受信指示入力部
２０４                    メール解析部
２０５                    プリント対象ファイル管理部
２０６                    識別子付与部
２０７                    返信メール編集部
２０８                    メール送信部
２０９                    プリント制御部
２２１                    受信メール格納部
２２２                    プリント対象ファイル格納部
【図１】
2007111920.tif 000003
【図２】
2007111920.tif 000004
【図３】
2007111920.tif 000005
【図４】
2007111920.tif 000006
【図５】
2007111920.tif 000007
【図６】
2007111920.tif 000008
【図７】
2007111920.tif 000009
【図８】
2007111920.tif 000010
【図９】
2007111920.tif 000011
【図１０】
2007111920.tif 000012
【図１１】
2007111920.tif 000013